(57)【要約】【課題】    本発明は、スライド金型の数を少なくすることにより、安価な内燃機関用点火コイルを提供することを目的とする。【解決手段】  コイルを固定するための端末ピンを保持する端末ピン保持用袋部は、配線の都合上、渡り溝の開口方向と異なる方向に開口面を有する場合がある。前記のような場合において、前記端末ピン保持用袋部は、前記渡り溝の開口方向と異なる方向に開口面を向けて前記鍔上に少なくとも一つ形成されている。前記端末ピン保持用袋部には、スライド金型の離脱が可能なように、前記渡り溝の開口方向と同じ方向および前記渡り溝の開口方向と反対方向に型抜部が設けられている。【選択図】    図３
2005286156.tif 000002
【特許請求の範囲】
【請求項１】
ボビンに巻回されている一次コイルおよび二次コイルと、
前記一次コイルおよび二次コイルを磁気的に結合させる鉄心と、
前記一次コイルおよび二次コイルと、前記鉄心を収納するケースと、
から少なくとも構成される内燃機関用点火コイルにおいて、
前記二次コイルが巻回されているとともに、鍔にコイルの渡り溝が設けられている二次コイルボビンと、
前記渡り溝の開口方向と異なる方向に開口面を有する前記鍔上に形成された少なくとも一つの端末ピン保持用袋部と、
前記端末ピン保持用袋部で、前記渡り溝の開口方向と同じ方向に設けられた型抜部と、
を備えていることを特徴とする内燃機関用点火コイル。
【請求項２】
前記端末ピン保持用袋部に設けられた型抜部は、前記渡り溝の開口方向と同じ方向で、いずれか一方に複数個設けられていることを特徴とする請求項１に記載された内燃機関用点火コイル。
【請求項３】
前記端末ピン保持用袋部における前記渡り溝の開口方向と同じ方向に設けられた型抜部は、両方に複数個設けられていることを特徴とする請求項１に記載された内燃機関用点火コイル。
【請求項４】
ボビンに巻回されている一次コイルおよび二次コイルと、
前記一次コイルおよび二次コイルを磁気的に結合させる鉄心と、
前記一次コイルおよび二次コイルと、前記鉄心を収納するケースと、
から少なくとも構成される内燃機関用点火コイルにおいて、
前記二次コイルが巻回されているとともに、鍔にコイルの渡り溝が設けられている二次コイルボビンと、
前記渡り溝の開口方向と異なる方向に開口面を有する前記鍔上に形成された少なくとも一つの端末ピン保持用袋部と、
前記端末ピン保持用袋部で、前記ボビンにおける鉄心の挿入孔と同じ方向に形成された第１の型抜部と、前記渡り溝の開口方向と同じ方向に設けられた第２の型抜部と、
を備えていることを特徴とする内燃機関用点火コイル。
【発明の詳細な説明】
【技術分野】
【０００１】
本発明は、自動車エンジン等の内燃機関の火花プラグにおいて、火花放電を発生させるために高電圧を供給する内燃機関用点火コイルに関するものである。特に、本発明は、内燃機関用点火コイルにおける二次コイルボビンの成形を容易にする構造に関するものである。
【背景技術】
【０００２】
図５は従来の内燃機関用点火コイルにおける二次コイルボビンを説明するための上面図である。図６は従来の内燃機関用点火コイルにおける二次コイルボビンを説明するための正面図である。図７は従来の内燃機関用点火コイルにおける二次ボビンに設けられた端末ピン保持用袋部の拡大図で、図６におけるＢ−Ｂ断面図である。図５ないし図７において、二次コイルボビン５１は、所定の間隔で複数の鍔５２が積層状にボビン５３に設けられている。
【０００３】
前記二次コイルボビン５１に設けられた鍔５２の間のボビン５３には、図示されていない、二次コイルが巻回される。前記二次コイルは、その巻き始めまたは巻き終わりは、端末ピン保持用袋部５４に設けられた図示されていない、端末ピンに固定される。前記鍔５２の間に巻回された前記二次コイルは、前記鍔５２に設けられた渡り溝５２１を通り、次の鍔の間において巻回される。
【０００４】
前記渡り溝５２１は、必要に応じて、鍔５２の反対方向にも、別の渡り溝５２２が設けられる。前記渡り溝５２１、５２２は、作製する際に、スライド金型を図５における上下方向（矢印）に抜けるような形状になっている。しかし、端末ピン保持用袋部５４の開口面は、図７に示すように、次の配線等を考慮すると、前記渡り溝５２１、５２２の開口方向と異なる方向に設けなければいけない場合がある。
【０００５】
また、コイルボビンには、特開２０００−１８２８６１に示すように、鉄心を挿入する一次コイルボビンの鉄心挿通孔に挿入する鉄心の断面より広い開口面を有する拡幅段部を設けて接着剤溜まりを形成した内燃機関用点火コイルがある。
【０００６】
【特許文献１】特開２０００−１８２８６１
【発明の開示】
【発明が解決しようとする課題】
【０００７】
前記二次コイルボビン５１の作製は、前記渡り溝５２１、５２２と端末ピン保持用袋部５４の開口方向がそれぞれ異なる場合、図５に示す矢印方向に抜けるスライド金型を用いる必要がある。すなわち、図５に示すように、前記スライド金型は、３方向に抜く必要があるため、３個必要になる。前記従来例の二次コイルボビン５１の作製には、金型の個数の増加および金型の抜く回数等工数の増加により作製費用が高価になるという問題があった。
【０００８】
本発明は、以上のような課題を解決するためのものであり、スライド金型の数を少なくすることにより、安価な内燃機関用点火コイルを提供することを目的とする。
【０００９】
本発明は、従来の製品構造では金型が複雑となるため、金型の個数の増加および金型の抜く回数等工数の増加により作製費用が高価になるという問題を解決することができる安価な内燃機関用点火コイルを提供することを目的とする。
【課題を解決するための手段】
【００１０】
（第１発明）
第１発明の内燃機関用点火コイルは、ボビンに巻回されている一次コイルおよび二次コイルと、前記一次コイルおよび二次コイルを磁気的に結合させる鉄心と、前記一次コイルおよび二次コイルと、前記鉄心を収納するケースと、から少なくとも構成されており、前記二次コイルが巻回されているとともに、鍔にコイルの渡り溝が設けられている二次コイルボビンと、前記渡り溝の開口方向と異なる方向に開口面を有する前記鍔上に形成された少なくとも一つの端末ピン保持用袋部と、前記端末ピン保持用袋部で、前記渡り溝の開口方向と同じ方向に設けられた型抜部と、を備えていることを特徴とする。
【００１１】
（第２発明）
第１発明の内燃機関用点火コイルにおいて、第２発明の端末ピン保持用袋部に設けられた型抜部は、前記渡り溝の開口方向と同じ方向で、いずれか一方に複数個設けられていることを特徴とする。
【００１２】
（第３発明）
第１発明の内燃機関用点火コイルにおいて、第３発明の端末ピン保持用袋部における前記渡り溝の開口方向と同じ方向に設けられた型抜部は、両方に複数個設けられていることを特徴とする。
【００１３】
（第４発明）
第４発明の内燃機関用点火コイルは、ボビンに巻回されている一次コイルおよび二次コイルと、前記一次コイルおよび二次コイルを磁気的に結合させる鉄心と、前記一次コイルおよび二次コイルと、前記鉄心を収納するケースと、から少なくとも構成されており、前記二次コイルが巻回されているとともに、鍔にコイルの渡り溝が設けられている二次コイルボビンと、前記渡り溝の開口方向と異なる方向に開口面を有する前記鍔上に形成された少なくとも一つの端末ピン保持用袋部と、前記端末ピン保持用袋部で、前記ボビンにおける鉄心の挿入孔と同じ方向に形成された第１の型抜部と、前記渡り溝の開口方向と同じ方向に設けられた第２の型抜部と、を備えていることを特徴とする。
【発明の効果】
【００１４】
本発明によれば、端末ピン保持用袋部の開口面の方向が二次ボビンの鍔に設けられた渡り溝の開口方向と異なっても、端末ピン保持用袋部の側部に前記渡り溝と同じ方向の型抜部を設けたため、スライド金型の数を減らすことができ、安価な内燃機関用点火コイルを得ることができるようになった。
【００１５】
本発明によれば、端末ピン保持用袋部の開口面の方向が二次ボビンの鍔に設けられた渡り溝の開口方向と異なっても、端末ピン保持用袋部の側部に前記渡り溝と同じ方向の型抜部を設けたため、スライド金型の数を減らすことができるだけでなく、従来の端末ピンの設置に差し支えない、安価な内燃機関用点火コイルを得ることができるようになった。
【発明を実施するための最良の形態】
【００１６】
（第１発明）
第１発明の内燃機関用点火コイルは、少なくともボビンに巻回されている一次コイルおよび二次コイルと、前記一次コイルおよび二次コイルを磁気的に結合させる鉄心と、前記一次コイルおよび二次コイルと、前記鉄心を収納するケースとから構成される。前記二次コイルボビンは、複数個の鍔が形成されており、鍔と鍔の間に前記二次コイルが巻回されている。前記二次コイルボビンには、鍔から次の鍔にコイルが移る際の渡り溝が設けられている。
【００１７】
前記コイルを固定するための端末ピンを保持する端末ピン保持用袋部は、配線の都合上、前記渡り溝の開口方向と異なる方向に開口面を向けて、前記鍔上に少なくとも一つ形成されている。また、前記端末ピン保持用袋部には、スライド金型の離型が可能なように、前記渡り溝の開口方向および前記渡り溝の開口方向と反対方向に型抜部が設けられている。
【００１８】
第１発明は、前記端末ピン保持用袋部が前記渡り溝の開口方向と異なる方向に開口面を有する場合であっても、前記端末ピン保持用袋部に前記渡り溝の開口方向および前記渡り溝の開口方向と反対方向に型抜部を設けることで、スライド金型が２方向に離型できるようになった。
【００１９】
本明細書において、「型抜部」とは、たとえば、スライド金型を抜く開口部、または前記スライド金型を挿抜できる領域をいう。
【００２０】
（第２発明）
第２発明の内燃機関用点火コイルは、前記端末ピン保持用袋部における渡り溝の開口方向と同じ方向に設けられた型抜部の数が規定されている。すなわち、前記渡り溝の開口方向の一方または他方と同じ方向に設けられた型抜部は、いずれか一方に複数個設けられている。
【００２１】
（第３発明）
第３発明の内燃機関用点火コイルは、前記端末ピン保持用袋部における渡り溝の開口方向と同じ方向に設けられた型抜部の数が一方および他方において複数個設けられたことが規定されている。すなわち、前記渡り溝の開口方向および前記渡り溝の開口方向と反対方向に設けられた型抜部は、両方に複数個設けられている。
【００２２】
第２発明および第３発明において、前記端末ピン保持用袋部に設ける渡り溝の開口方向と同じまたは反対方向の型抜部は、一方の側を複数とすると、端末ピンを保持する壁となる部分が長くなり、単数とすると、端末ピンを保持する壁となる部分の一方が短くなる。しかし、前記型抜部を成形するスライド金型は、前記型抜部の数を多くすると、凸起部の数が増加し、高価になるが、型抜き部の数を少なくすると、壁の部分が短くなるが安価になるという関係がある。
【００２３】
（第４発明）
第４発明の内燃機関用点火コイルは、端末ピン保持用袋部において、ボビンにおける鉄心の挿入孔と同じ方向に形成された第１の型抜部と、前記渡り溝の開口方向と同じ方向に設けられた第２の型抜部とを備えている点で、第１発明と異なっている。すなわち、前記第１の型抜部は、スライド金型がボビンに成型されている鉄心挿入孔と同じ方向に抜き差しができるように成型されている。また、前記第２の型抜部は、スライド金型が渡り溝の開口方向と同じ方向に抜き差しできるように成型されている。前記第１の型抜部を成形させるスライド金型は、前記ボビンを成形する際のメイン金型と同じ方向にスライドできるため、前記メイン金型と一体または別体として構成させることができる。
【００２４】
前記渡り溝の開口方向と異なる方向、たとえば、前記渡り溝の開口方向（Ｘ方向）および第２の型抜部の抜き差し方向（Ｙ方向）に対して、９０度異なる方向（Ｚ方向）、を向いている第１の型抜部は、ボビンの中央に設けられた孔と同じ方向（Ｚ方向）であるため、一つの工程にすることができる。
【００２５】
本発明は、端末ピン保持用袋部に設けられた型抜部の幅の合計を前記端末ピン保持用袋部の深さに略等しく、すなわち、やや広くすることで、前記端末ピン保持用袋部にスライド金型を挿入できる部分が成形される。前記型抜部の幅の合計は、前記端末ピン保持用袋部の深さに等しい場合、スライド金型の抜き差しが滑らかに行うことができない。前記スライド金型は、たとえば、先端部を少しテーパー状にすることで、なお、一層抜き差しが滑らかに行うことができる。
【００２６】
本発明は、端末ピン保持用袋部に設けられた型抜部が一方側と他方側とに設けられている。前記各型抜部は、スライド金型が全て充実されるため、端末ピンを挿入する袋部となる部分が成形される。
【実施例１】
【００２７】
図１は本発明の一実施例で、内燃機関用点火コイルにおける二次コイルボビンを説明するための上面図である。図２は本発明の一実施例で、内燃機関用点火コイルにおける二次コイルボビンを説明するための正面図である。図３（イ）および（ロ）は本発明の実施例で、内燃機関用点火コイルにおける二次ボビンに設けられた端末ピン保持用袋部の拡大図で、図２におけるＡ−Ａ断面図である。図２において、二次コイルボビン１１は、所定の間隔で複数の鍔１２が積層状にボビン１３に設けられている。
【００２８】
前記二次コイルボビン１１に設けられた鍔１２の間のボビン１３には、図示されていない、二次コイルが巻回される。前記二次コイルは、その巻き始めまたは巻き終わりは、端末ピン保持用袋部１４に設けられた図示されていない、端末ピンに固定される。前記鍔１２の間に巻回された前記二次コイルは、前記鍔１２に設けられた渡り溝１２１を通り、次の鍔の間において巻回される。
【００２９】
前記渡り溝１２１は、必要に応じて、鍔１２の反対方向にも、別の渡り溝１２２が設けられる。前記渡り溝１２１、１２２は、作製する際に、スライド金型を図１における上下方向（矢印１５、１６）に抜けるような形状になっている。しかし、端末ピン保持用袋部１４の開口面は、図１に示すように、次の配線等を考慮すると、前記渡り溝１２１、１２２の開口方向と異なる方向に設けなければならない場合がある。
【００３０】
本発明は、前記のような場合であっても、スライド金型を２方向に抜くことができるような端末ピン保持用袋部１４の形状である。図３（イ）において、端末ピン保持用袋部１４は、図示されていない、端末ピンが内側壁１４６、１４６′に沿って左側から嵌合される。
【００３１】
前記端末ピン保持用袋部１４は、図示されていない、端末ピンを挿入する側と９０度異なる方向に、スライド金型３１、３２によって、型抜部１４１、１４２が成形される。前記スライド金型３１、３２の根本の合計幅は、端末ピン保持用袋部１４の深さよりわずかに広くして、前記スライド金型の挿抜を容易にする。前記端末ピン保持用袋部１４の内側壁１４６は、前記端末ピン保持用袋部１４における入口面と略同じになるが、他方の内側壁１４６′は、前記端末ピン保持用袋部１４における入口面近傍がスライド金型３１の型抜部１４１となっているために、端末ピン保持用袋部１４を支えるのに充分でない場合がある。
【実施例２】
【００３２】
図３（ロ）は本発明の他の実施例で、内燃機関用点火コイルにおける二次ボビンに設けられた端末ピン保持用袋部の拡大図で、図２におけるＡ−Ａ断面図である。図３（ロ）において、端末ピン保持用袋部１４は、図示されていない、端末ピンを挿入する側と９０度異なる方向に、スライド金型を引き抜く点では図３（イ）のものと同じであるが、スライド金型および型抜部の数が異なる。
【００３３】
型抜部１４５は、前記端末ピン保持用袋部１４のほぼ中間部において、スライド金型４３によって成形される。前記型抜部１４５と反対側に成形される型抜部１４３、１４４は、前記型抜部１４５と異なる位置にある。また、前記スライド金型４１、４２、４３の根本の合計の幅は、端末ピン保持用袋部１４の深さと同等以上とする。
【００３４】
前記端末ピン保持用袋部１４の内側壁１４７は、前記端末ピン保持用袋部１４の深さと同じであり、他方の内側壁１４７′は、型抜部を１４３と１４４に分けたため、壁１４８ができ、端末ピンを支える内側壁の高さが高くなる。
【００３５】
前記端末ピン保持用袋部１４の開口面と異なる方向に設けられたスライド金型引き抜き用である型抜部の数は、任意に増加できるが、金型の費用が高価になるため、図３（ロ）に示す例が適当である。
【００３６】
（実施例３）
図４（イ）および（ロ）は本発明の第３実施例で、内燃機関用点火コイルにおける二次ボビンに設けられた端末ピン保持用袋部の拡大図である。図４において、端末ピン保持用袋部１４は、渡り溝の開口方向と同じ方向に挿抜できるスライド金型４５１、および図示されていないボビンの鉄心挿入孔と同じ方向に挿抜できるメインもしくはスライド金型４６１によって成型される。前記メインもしくはスライド金型４６１は、メイン金型と一体になっている場合もある。
【００３７】
前記端末ピン保持用袋部１４は、型抜部４５、４６から２方向に前記スライド金型４５１、４６１を抜くと、端末ピンが挿入される袋が形成される。前記スライド金型４６１は、図４（イ）スライド金型４５１と９０度異なるとともに、図４（イ）の紙背から紙前方向に抜かれる。前記メインもしくはスライド金型４６１は、前記ボビンを成形する際の図示されていないメイン金型と同じ方向にスライドできるため、前記メイン金型と一体または別体として構成できる。
【産業上の利用可能性】
【００３８】
以上、本発明の実施例を詳述したが、本発明は、前記実施例に限定されるものではない。そして、本発明は、特許請求の範囲に記載された事項を逸脱することがなければ、種々の設計変更を行うことが可能である。本発明の二次ボビン、渡り溝、端末ピン保持用袋部の形状は、スライド金型が２方向に引き抜ければ特に限定されない。
【００３９】
また、金型の形状は、一方のみに傾斜部を備えた一組としたり、あるいは、端末ピン保持用袋部の底部における一方にアールを持たせたもの等の変形ができる。端末ピン保持用袋部、渡り溝、鉄心挿入孔を有するボビンの成形方法は、メイン金型、スライド金型等を２個にして、垂直または渡り溝の開口方向に引き抜きことにより達成することができる。
【図面の簡単な説明】
【００４０】
【図１】本発明の一実施例で、内燃機関用点火コイルにおける二次コイルボビンを説明するための上面図である。（実施例１）
【図２】本発明の一実施例で、内燃機関用点火コイルにおける二次コイルボビンを説明するための正面図である。
【図３】（イ）および（ロ）は本発明の実施例で、内燃機関用点火コイルにおける二次ボビンに設けられた端末ピン保持用袋部の拡大図で、図２におけるＡ−Ａ断面図である。（実施例１および実施例２）
【図４】（イ）および（ロ）本発明の第３実施例で、内燃機関用点火コイルにおける二次ボビンに設けられた端末ピン保持用袋部の拡大図である。（実施例３）
【図５】従来の内燃機関用点火コイルにおける二次コイルボビンを説明するための上面図である。
【図６】従来の内燃機関用点火コイルにおける二次コイルボビンを説明するための正面図である。
【図７】従来の内燃機関用点火コイルにおける二次ボビンに設けられた端末ピン保持用袋部の拡大図で、図６におけるＢ−Ｂ断面図である。
【符号の説明】
【００４１】
１１・・・二次コイルボビン
１２・・・鍔
１２１・・・渡り溝
１２２・・・渡り溝
１３・・・ボビン
１４・・・端末ピン保持用袋部
１４１、１４２・・・型抜部
１４６、１４６′・・・内側壁
１４３、１４４、１４５・・・型抜部
１４７、１４７′・・・内側壁
３１、３２・・・スライド金型
４１ないし４３・・・スライド金型
４５、４６・・・型抜部
４５１・・・スライド金型
４６１・・・メインもしくはスライド金型
【図１】
2005286156.tif 000003
【図２】
2005286156.tif 000004
【図３】
2005286156.tif 000005
【図４】
2005286156.tif 000006
【図５】
2005286156.tif 000007
【図６】
2005286156.tif 000008
【図７】
2005286156.tif 000009